(57)【特許請求の範囲】
【請求項１】
パイロット信号伝送方法であって、前記パイロット信号伝送方法が、
ｍ個のビームを決定し、次いで前記ｍ個のビームに対応するp個のポートを決定する、ステップ（１１０）であって、ここでｍおよびｐの両方は１より大きい正の整数である、ステップと、
前記ｍ個のビームの方向に従って、ｑ個のグループに前記ｐ個のポートをグループ化するステップと、
ポートの前記ｑ個のグループを介して、ユーザ装置（ＵＥ）にｎ個のパイロット信号を送信する、ステップ（１２０）であって、ここで前記ｑ個のグループは、各グループがｎ個のポートを含むことに基づいて、前記ｐ個のポートをグループ化するステップによって取得され、およびｎおよびｑの両方は、１より大きい正の整数であり、各グループのi番目のポートは、前記ｎ個のパイロット信号の前記ｉ番目のパイロット信号を送信するように構成され、ここで１≦ｉ≦ｎ、およびｉは正の整数であり、および前記パイロット信号が、チャネル状態情報−基準信号（ＣＳＩ−ＲＳ）である、ステップと、
前記ＵＥのデータ伝送ビームを使用することによって前記ＵＥにデータを送信するステップであって、前記ＵＥのデータ伝送ビームは、前記ＵＥからの測定情報およびポートのｑ個のグループの受信したアップリンクパワーに従って決定され、前記決定は、最適な測定結果および選択されたサブグループに従ってなされ、前記最適な測定結果は、前記ＵＥによって取得されたｘ個の測定結果から選択され、候補サブグループは、前記最適な測定結果に対応し、かつ少なくとも一つのサブグループを含み、前記選択されたサブグループは、ポートの前記ｑ個のグループの前記受信したアップリンクパワーに従って前記候補サブグループの中から選択された、最大の受信したアップリンクパワーを有するサブグループである、ステップと、
を含むことによって特徴づけられる、
パイロット信号伝送方法。
【請求項２】
ポートのｑ個のグループを介して、ＵＥにｎ個のパイロット信号を前記送信するステップの前に、
ポートの前記ｑ個のグループに対応するｘ個のパイロット信号構造を決定するステップであって、ここで前記ｑ個の各グループは、ｘ個のサブグループにグループ化され、各サブグループは、ｙ個のポートを含み、各グループのｊ番目のサブグループは、前記ｘ個のパイロット信号構造の前記ｊ番目のパイロット信号構造に対応し、および前記パイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数である、ステップと、
前記ＵＥにシグナル伝達を送信するステップであって、ここで前記シグナル伝達は、前記ｘ個のパイロット信号構造を示すために使用される、ステップと、をさらに含む、
請求項１に記載の方法。
【請求項３】
前記ＵＥから前記測定情報を受信するステップであって、ここで前記測定情報は、前記ｘ個のパイロット信号構造によってそれぞれ示された時間−周波数リソース上の測定を介して、前記ＵＥによって取得されたｘ個の測定結果を含む、ステップ
をさらに含む、
請求項２に記載の方法。
【請求項４】
前記ｘ個の測定結果の各測定結果が、チャネル品質指標（ＣＱＩ）を含むか、または
前記ｘ個の測定結果の各測定結果が、ＣＱＩ、およびランクとプリコード化マトリクス指標（ＰＭＩ）のうちの少なくとも一つを含む、
請求項３に記載の方法。
【請求項５】
ｍ個のビームを前記決定するステップが、
アンテナ重みづけ手法で前記ｍ個のビームを形成するステップを含む、
請求項１乃至４の何れか一項に記載の方法。
【請求項６】
アンテナ重みづけ手法で前記ｍ個のビームを前記形成するステップが、
前記ｍ個のビームを形成するために、ｍ個の加重値を使用することによって、共偏波アンテナのグループをそれぞれ重みづけするステップを含むか、または、
重み付けをしてｋ個のビームを形成するために、共偏波アンテナのグループをそれぞれ重みづけするステップであって、ここでｋは１より大きい正の整数である、重み付けするステップ、ｍ/２個（ｋ＝ｍ／２＋１）のビームを形成するために、第一加重値を使用することによって、前記ｋ個のビームの任意の２つの隣接ビームを重みづけするステップ、並びに、ｍ/２個のビームを形成するために、第二加重値を使用することによって、前記ｋ個のビームの任意の２つの隣接ビームを重みづけするステップを含むか、または、
ｍ/２個のビームを形成するために、ｍ/２個の加重値を使用することによって、共偏波アンテナの第一グループをそれぞれ重みづけするステップ、並びに、ｍ/２個のビームを形成するために、前記ｍ/２個の加重値を使用することによって、共偏波アンテナの第二グループをそれぞれ重みづけするステップであって、ここで間隔は、共偏波アンテナの前記第一グループと、共偏波アンテナの前記第二グループとの間に存在する、重み付けするステップ
を含む、請求項５に記載の方法。
【請求項７】
基地局であって、前記基地局が、
ｍ個のビームを決定し、次いで前記ｍ個のビームに対応するｐ個のポートを決定するように構成された、決定ユニットであって、ここでｍおよびｐの両方は、１より大きい正の整数である、決定ユニット（６１０）と、
前記ｍ個のビームの方向に従って、前記ｐ個のポートをｑ個のグループにグループ化するように構成された、グループ化ユニット（６３０）と、
ポートの前記ｑ個のグループを介して、ユーザ装置（ＵＥ）にｎ個のパイロット信号を送信するように構成された、送信ユニット（６２０）であって、ここで前記ｑ個のグループは、各グループがｎ個のポートを含むことに基づいて、前記ｐ個のポートをグループ化することによって取得され、およびｎおよびｑの両方は、１より大きい正の整数であり、各グループのi番目のポートは、前記ｎ個のパイロット信号のｉ番目のパイロット信号を送信するように構成され、ここで１≦ｉ≦ｎ、およびｉは正の整数であり、前記パイロット信号が、チャネル状態情報−基準信号（ＣＳＩ−ＲＳ）であり、前記送信ユニットが、前記ＵＥのデータ伝送ビームを使用することによって、前記ＵＥにデータを送信するようにさらに構成され、前記ＵＥの前記データ伝送ビームは、前記決定ユニットによって最適な測定結果および選択されたサブグループに従って決定され、前記最適な測定結果は、前記ＵＥによって取得されたｘ個の測定結果から選択され、候補サブグループは、前記最適な測定結果に対応し、前記選択されたサブグループは、ポートの前記ｑ個のグループの受信したアップリンクパワーに従って少なくとも一つのサブグループを含む前記候補サブグループの中から選択された、最大の受信したアップリンクパワーを有するサブグループである、送信ユニットと、を含むことによって特徴づけられる、
基地局。
【請求項８】
前記決定ユニット（６１０）が、前記送信ユニット（６２０）がポートの前記ｑ個のグループを介して前記ＵＥに前記ｎ個のパイロット信号を送信する前に、ポートの前記ｑ個のグループに対応するｘ個のパイロット信号構造を決定するようにさらに構成され、ここで、前記ｑ個のグループの各グループは、ｘ個のサブグループにグループ化され、各サブグループは、ｙ個のポートを含み、各グループのｊ番目のサブグループは、前記ｘ個のパイロット信号構造のｊ番目のパイロット信号構造に対応し、および前記パイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数であり、および、
前記送信ユニット（６２０）が、前記ＵＥにシグナル伝達を送信するようにさらに構成され、ここで前記シグナル伝達は、前記ｘ個のパイロット信号構造を示すために使用される、
請求項７に記載の基地局。
【請求項９】
前記基地局が、受信ユニットをさらに含み、
前記受信ユニット（６４０）が、前記ＵＥから測定情報を受信するように構成され、ここで前記測定情報は、前記ｘ個のパイロット信号構造によって示された時間−周波数リソース上のそれぞれの測定を介して、前記ＵＥによって取得されたｘ個の測定結果を含み、
前記決定ユニット（６１０）が、前記受信ユニット（６４０）によって受信された前記測定情報およびポートの前記ｑ個のグループの受信されたアップリンクパワーに従って、前記ＵＥのデータ伝送ビームを決定するようにさらに構成された、
請求項８に記載の基地局。
【請求項１０】
前記決定ユニット（６１０）が、具体的には、アンテナ重みづけ手法で前記ｍ個のビームを形成するように構成された、請求項８または９に記載の基地局。
【請求項１１】
前記決定ユニット（６１０）が、具体的には、
前記ｍ個のビームを形成するために、ｍ個の加重値を使用することによって、共偏波アンテナのグループをそれぞれ重みづけするように構成されるか、または、
重み付けをしてｋ個のビームを形成するために、共偏波アンテナのグループをそれぞれ重みづけし、次いでｍ/２個（ｋ＝ｍ／２＋１）のビームを形成するために、第一加重値を使用することによって、前記ｋ個のビームの任意の２つの隣接ビームを重みづけし、並びにｍ/２個のビームを形成するために、第二加重値を使用することによって、前記ｋ個のビームの任意の２つの隣接ビームを重みづけするように構成され、ここでｋは、１より大きい正の整数であるように構成されるか、または、
ｍ/２個のビームを形成するために、ｍ/２個の加重値を使用することによって、共偏波アンテナの第一グループをそれぞれ重みづけし、並びにｍ/２個のビームを形成するために、前記ｍ/２個の加重値を使用することによって、共偏波アンテナの第二グループをそれぞれ重みづけするように構成され、ここで、間隔は、共偏波アンテナの前記第一グループと、共偏波アンテナの前記第二グループとの間に存在するように構成される、
請求項１０に記載の基地局。
【発明の詳細な説明】
【技術分野】
【０００１】
本発明は、通信の分野に関し、特にパイロット信号伝送方法、基地局、およびユーザ装置に関する。
【背景技術】
【０００２】
理論上の分析は、チャネルキャパシティは、アンテナの数を増やすことで増加し、および送信端末におけるアンテナの数の増加は、よりよいビームフォーミングの効果を得ることもできることを示している。従って、送信および受信のためにより多くのアンテナを使用した無線伝送技術、つまりマルチ入力マルチ出力（Multiple-Input and Multiple-Output, MIMO）技術は、モバイル通信の分野で研究された以前から主流の技術の一つである。
【０００３】
基準信号、すなわちパイロット信号は、受信端末のために、送信端末によって提供される既知の信号であり、および、チャネル推定またはチャネル測定のために受信端末によって使用される。現在、パイロット信号の設計の基本的な考えは、各ポートが一つのパイロット信号に対応しているということである。このような１対１マッピング手法は、各アンテナが一つのパイロット信号を全方向に送信するということである。
【０００４】
ＭＩＭＯ技術において、ポート数は、アンテナ数の増加に伴って増加する。もし、既存のパイロット信号設計手法において、各ポートに別々のパイロット信号が割り当てられた場合、パイロット信号のオーバヘッドが非常に増加する。
【発明の概要】
【課題を解決するための手段】
【０００５】
本発明の実施形態は、パイロット信号のオーバヘッドを低減するために利用できるパイロット信号伝送方法、基地局、およびユーザ装置を提供する。
【０００６】
第一の態様に従った、パイロット信号伝送方法が提供され、パイロット信号伝送方法は、ｍ個のビームを決定し、次いでｍ個のビームに対応するp個のポートを決定する、ステップであって、ここでｍおよびｐの両方は１より大きい正の整数である、ステップと、ポートのｑ個のグループを介して、ユーザ装置（ＵＥ）にｎ個のパイロット信号を送信する、ステップであって、ここでｑ個のグループは、各グループがｎ個のポートを含むことに基づいて、ｐ個のポートをグループ化することによって取得され、およびｎおよびｑの両方は、１より大きい正の整数であり、および各グループのi番目のポートは、ｎ個のパイロット信号のｉ番目のパイロット信号を送信するように構成され、ここで１≦ｉ≦ｎ、およびｉは正の整数である、ステップと、を含む。
【０００７】
第一の態様を参照して、第一の可能な実装方法において、方法は、ｍ個のビームの方向に従って、ｑ個のグループにｐ個のポートをグループ化するステップをさらに含む。
【０００８】
第一の態様または第一の態様の第一の可能な実装方法を参照して、第二の可能な実装方法において、ｍ個のビームを決定するステップが、アンテナ重みづけ手法でｍ個のビームを形成するステップを含む。
【０００９】
第一の態様の第二の可能な実装方法を参照して、第三の可能な実装方法において、アンテナ重みづけ手法でｍ個のビームを形成するステップが、ｍ個のビームを形成するために、ｍ個の加重値を使用することによって、共偏波アンテナのグループをそれぞれ重みづけするステップを含む。
【００１０】
第一の態様の第二の可能な実装方法を参照して、第四の可能な実装方法において、アンテナ重みづけ手法において、ｍ個のビームを形成するステップが、ｋ個のビームを形成するために、ｋ個の加重値を使用することによって、共偏波アンテナのグループをそれぞれ重みづけするステップであって、ここでｋは１より大きい正の整数である、ステップと、ｍ/２個のビームを形成するために、第一加重値を使用することによって、ｋ個のビームの任意の２つの隣接ビームを重みづけするステップと、ｍ/２個のビームを形成するために、第二加重値を使用することによって、ｋ個のビームの任意の２つの隣接ビームを重みづけするステップと、を含む。
【００１１】
第一の態様の第二の可能な実装方法を参照して、第五の可能な実装方法において、アンテナ重みづけ手法において、ｍ個のビームを形成するステップが、ｍ/２個のビームを形成するために、ｍ/２個の加重値を使用することによって、共偏波アンテナの第一グループをそれぞれ重みづけするステップと、ｍ/２個のビームを形成するために、ｍ/２個の加重値を使用することによって、共偏波アンテナの第二グループをそれぞれ重みづけするステップと、を含み、ここで間隔は、共偏波アンテナの第一グループと、共偏波アンテナの第二グループとの間に存在する。
【００１２】
第一の態様または第一の態様の第一の可能な実装方法乃至第五の可能な実装方法の任意の実装方法を参照して、第六の可能な実装方法において、ポートのｑ個のグループを介して、ＵＥにｎ個のパイロット信号を送信するステップの前に、ポートのｑ個のグループに対応するｘ個のパイロット信号構造を決定するステップであって、ここでｑ個の各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数である、ステップと、ＵＥにシグナル伝達を送信するステップであって、ここでシグナル伝達は、ｘ個のパイロット信号構造を示すために使用される、ステップと、をさらに含む。
【００１３】
第一の態様の第六の可能な実装方法を参照して、第七の可能な実装方法において、ＵＥから測定情報を受信するステップであって、ここで測定情報は、ｘ個のパイロット信号構造によってそれぞれ示された時間−周波数リソース上の測定を介して、ＵＥによって取得されたｘ個の測定結果を含む、ステップと、測定情報およびポートのｑ個のグループの受信されたアップリンクパワーに従って、ＵＥのデータ伝送ビームを決定するステップと、ＵＥのデータ伝送ビームを使用することによって、ＵＥにデータを送信するステップと、をさらに含む。
【００１４】
第一の態様の第七の可能な実装方法を参照して、第八の可能な実装方法において、測定情報およびポートのｑ個のグループの受信したアップリンクパワーに従って、ＵＥのデータ伝送ビームを決定するステップが、ｘ個の測定結果から最適な測定結果を選択し、次いで最適な測定結果に対応する候補サブグループを決定するステップであって、ここで、最適なサブグループは、少なくとも一つのサブグループを含む、ステップと、ポートのｑ個のグループの受信したアップリンクパワーに従って、候補サブグループから、最大の受信したアップリンクパワーを有するサブグループを選択するステップと、最適な測定結果および選択されたサブグループに従って、ＵＥのデータ伝送ビームを決定するステップと、を含む。
【００１５】
第一の態様の第七の可能な実装方法または第八の可能な実装方法を参照して、第九の可能な実装方法において、ｘ個の測定結果の各測定結果が、チャネル品質指標（ＣＱＩ）を含むか、または各測定結果が、ＣＱＩ、およびランクとプリコード化マトリクス指標（ＰＭＩ）のうちの少なくとも一つを含む。
【００１６】
第一の態様または第一の態様の第一の可能な実装方法乃至第九の可能な実装方法の任意の実装方法を参照して、第十の可能な実装方法において、パイロット信号が、チャネル状態情報−基準信号（ＣＳＩ−ＲＳ）である。
【００１７】
第二の態様に従って、パイロット信号伝送方法が提供され、パイロット信号伝送方法は、ポートのｑ個のグループを介して、基地局によって送信されたｎ個のパイロット信号を受信するステップであって、ここでｑ個のグループは、各グループがｎ個のポートを含むことに基づいて、ｍ個のビームに対応するｐ個のポートをグループ化することによって、基地局によって取得され、ｍおよびｐの両方は、１より大きい正の整数であり、およびｎおよびｑの両方は、１より大きい正の整数であり、また、各グループのｉ番目のポートは、ｎ個のパイロット信号のｉ番目のパイロット信号を送信するように構成され、ここで１≦ｉ≦ｎ、およびｉは正の整数である、ステップと、ｎ個のパイロット信号を測定するステップと、を含む。
【００１８】
第二の態様を参照して、第一の可能な実装方法において、ポートのｑ個のグループを介して、基地局によって送信されたｎ個のパイロット信号を受信するステップの前に、方法は、基地局によって送信されたシグナル伝達を受信するステップであって、ここでシグナル伝達は、ポートのｑ個のグループに対応するｘ個のパイロット信号構造を示すために使用され、ｑ個のグループの各グループは、ｘ個のサブグループにグループ化され、各サブグループは、ｙ個のポートを含み、ｘ個のパイロット信号構造のｊ番目のパイロット信号構造に対応する各グループのｊ番目のサブグループおよびパイロット信号構造は、パイロット信号によって占められた時間−周波数リソースを示すために使用され、ここでｘおよびｙの両方は、１より大きいかまたは等しい正の整数であり、１≦ｊ≦ｘであり、かつｊは正の整数である、ステップをさらに含む、
【００１９】
第二の態様の第一の可能な実装方法を参照して、第二の可能な実装方法において、ｎ個のパイロット信号を測定するステップが、ｘ個の測定結果を取得するために、ｘ個のパイロット信号構造によってそれぞれ示される時間−周波数リソース上のｎ個のパイロット信号を測定するステップを含み、方法が、基地局に測定情報を送信するステップであって、ここで測定情報は、ｘ個の測定結果を含む、ステップをさらに含む。
【００２０】
第二の態様の第二の可能な実装方法を参照して、第三の可能な実装方法として、方法は、データ伝送ビームを使用することによって、基地局によって送信されたデータを受信するステップであって、ここでデータ伝送ビームは、測定情報およびポートのｑ個のグループの受信したアップリンクパワーに従って、基地局によって決定される、ステップをさらに含む。
【００２１】
第二の態様の第二の可能な実装方法または第三の可能な実装方法を参照して、第四の可能な実装方法として、ｘ個の測定結果の各測定結果が、チャネル品質指標（ＣＱＩ）を含むか、またはｘ個の測定結果の各測定結果が、ＣＱＩ、および、ランクとプリコード化マトリクス指標（ＰＭＩ）のうちの少なくとも一つを含む。
【００２２】
第二の態様または第二の態様の第一の可能な実装方法乃至第四の可能な実装方法の任意の実装方法を参照して、第五の可能な実装方法において、パイロット信号が、チャネル状態情報−基準信号（ＣＳＩ−ＲＳ）である。
【００２３】
第三の態様に従って、基地局が提供され、基地局が、ｍ個のビームを決定し、次いでｍ個のビームに対応するp個のポートを決定するように構成された、決定ユニットであって、ここでｍおよびｐの両方は、１より大きい正の整数である、決定ユニットと、ポートのｑ個のグループを介して、ユーザ装置（ＵＥ）にｎ個のパイロット信号を送信するように構成された、送信ユニットであって、ここでｑ個のグループは、各グループがｎ個のポートを含むことに基づいて、ｐ個のポートをグループ化することによって取得され、およびｎおよびｑの両方は、１より大きい正の整数であり、および各グループのi番目のポートは、ｎ個のパイロット信号のｉ番目のパイロット信号を送信するように構成され、ここで１≦ｉ≦ｎ、およびｉは正の整数である、送信ユニットと、を含む。
【００２４】
第三の態様を参照して、第１の可能な実装方法において、基地局は、ｍ個のビームの方向に従って、ｑ個のグループにｐ個のポートをグループ化するように構成された、グループ化ユニットをさらに含む。
【００２５】
第三の態様または第三の態様の第一の可能な実装方法を参照して、第二の可能な実装方法において、決定ユニットが、アンテナ重みづけ手法でｍ個のビームを形成するように特に構成される。
【００２６】
第三の態様の第二の可能な実装方法を参照して、第三の可能な実装方法において、決定ユニットが、ｍ個のビームを形成するために、ｍ個の加重値を使用することによって、共偏波アンテナのグループをそれぞれ重みづけするように特に構成される。
【００２７】
第三の態様の第二の可能な実装方法を参照して、第四の可能な実装方法において、決定ユニットが、具体的には、ｋ個のビームを形成するために、ｋ個の加重値を使用することによって、共偏波アンテナのグループをそれぞれ重みづけし、ｍ/２個のビームを形成するために、第一加重値を使用することによって、ｋ個のビームの任意の２つの隣接ビームを重みづけし、次いでｍ/２個のビームを形成するために、第二加重値を使用することによって、ｋ個のビームの任意の２つの隣接ビームを重みづけするように構成され、ここでｋは、１より大きい正の整数である。
【００２８】
第三の態様の第二の可能な実装方法を参照して、第五の可能な実装方法において、決定ユニットが、ｍ/２個のビームを形成するために、ｍ/２個の加重値を使用することによって、共偏波アンテナの第一グループをそれぞれ重みづけし、およびｍ/２個のビームを形成するために、ｍ/２個の加重値を使用することによって、共偏波アンテナの第二グループをそれぞれ重みづけするように、特に構成され、ここで、間隔は、共偏波アンテナの第一グループと、共偏波アンテナの第二グループとの間に存在する。
【００２９】
第三の態様、または第三の態様の第一の可能な実装方法乃至第五の可能な実装方法のうちの任意の実装方法を参照して、第六の可能な実装方法において、決定ユニットが、送信ユニットがポートのｑ個のグループを介してＵＥにｎ個のパイロット信号を送信する前に、ポートのｑ個のグループに対応するｘ個のパイロット信号構造を決定するようにさらに構成され、ここで、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数であり、および、送信ユニットが、ＵＥにシグナル伝達を送信するようにさらに構成され、ここでシグナル伝達は、ｘ個のパイロット信号構造を示すために使用される。
【００３０】
第三の態様の第六の可能な実装方法を参照して、第七の可能な実装方法において、基地局が、受信ユニットをさらに含み、受信ユニットが、ＵＥから測定情報を受信するように構成され、ここで測定情報は、ｘ個のパイロット信号構造によって示された時間−周波数リソース上のそれぞれの測定を介して、ＵＥによって取得されたｘ個の測定結果を含み、  決定ユニットが、受信ユニットによって受信された測定情報およびポートのｑ個のグループの受信されたアップリンクパワーに従って、ＵＥのデータ伝送ビームを決定するようにさらに構成され、および送信ユニットが、ＵＥのデータ伝送ビームを使用することによって、ＵＥにデータを送信するようにさらに構成される。
【００３１】
第三の態様の第七の可能な実装方法を参照して、第八の可能な実装方法において、決定ユニットが、ｘ個の測定結果から最適な測定結果を選択し、次いで最適な測定結果に対応する候補サブグループを決定し、ポートのｑ個のグループの受信したアップリンクパワーに従って、候補サブグループから、最大の受信したアップリンクパワーを有するサブグループを選択し、および最適な測定結果および選択されたサブグループに従って、ＵＥのデータ伝送ビームを決定するように特に構成され、ここで、候補サブグループは、少なくとも一つのサブグループを含む。
【００３２】
第四の態様に従って、ユーザ装置が提供され、ユーザ装置は、ポートのｑ個のグループを介して、基地局によって送信されたｎ個のパイロット信号を受信するように構成された受信ユニットであって、ここでｑ個のグループは、各グループがｎ個のポートを含むことに基づいて、ｍ個のビームに対応するｐ個のポートをグループ化することによって、基地局によって取得され、ｍおよびｐの両方は、１より大きい正の整数であり、およびｎおよびｑの両方は、１より大きい正の整数であり、また、各グループのｉ番目のポートは、ｎ個のパイロット信号のｉ番目のパイロット信号を送信するように構成され、ここで１≦ｉ≦ｎ、およびｉは正の整数である、受信ユニットと、受信ユニットによって受信したｎ個のパイロット信号を測定するように構成された、測定ユニットと、を含む。
【００３３】
第四の態様に従って、第一の可能な実装方法において、受信ユニットが、ポートのｑ個のグループを介して、基地局によって送信されたｎ個のパイロット信号を受信する前に、基地局によって送信されたシグナル伝達を受信するようにさらに構成され、ここで、シグナル伝達は、ポートのｑ個のグループに対応するｘ個のパイロット信号構造を示すために使用され、ｑ個のグループの各グループは、ｘ個のサブグループにグループ化され、各サブグループは、ｙ個のポートを含み、ｘ個のパイロット信号構造のｊ番目のパイロット信号構造に対応する各グループのｊ番目のサブグループおよびパイロット信号構造は、パイロット信号によって占められた時間−周波数リソースを示すために使用され、ここでｘおよびｙの両方は、１より大きいかまたは等しい正の整数であり、１≦ｊ≦ｘであり、かつｊは正の整数である。
【００３４】
第四の態様の第一の可能な実装方法を参照して、第二の可能な実装方法において、ユーザ装置が、送信ユニットをさらに含み、ここで測定ユニットは、ｘ個の測定結果を取得するために、ｘ個のパイロット信号構造によってそれぞれ示される、時間−周波数リソース上のｎ個のパイロット信号を測定するように特に構成され、および送信ユニットは、基地局に測定情報を送信するように構成され、ここで測定情報は、ｘ個の測定結果を含む。
【００３５】
第四の態様の第二の可能な実装方法を参照して、第三の可能な実装方法において、受信ユニットが、基地局によって送信されたデータを、データ伝送ビームを使用することによって受信するようにさらに構成され、ここでデータ伝送ビームは、測定情報およびポートのｑ個のグループの受信したアップリンクパワーに従って、基地局によって決定される。
【００３６】
本発明の実施形態において、ｍ個のビームに対応するｐ個のポートが、ｑ個のグループにグループ化され、およびｎ個のパイロット信号がポートのｑ個のグループを介してＵＥに送信され、ここで各グループのｉ番目のポートは、ｎ個のパイロット信号のｉ番目のパイロット信号を送信するように構成される。これによって、送信するパイロット信号の量が減少し、その結果、パイロット信号のオーバヘッドを低減する。
【００３７】
本発明の実施形態の技術的解決策をより明確に説明するために、以下の簡単な説明は、本発明の実施形態を説明するために必要な添付図面を紹介する。明らかに、以下の説明における添付図面は、本発明のいくつかの実施形態しか示しておらず、当業者は、創造的努力なしにこれらの添付図面から他の図面を導き出すことができよう。
【図面の簡単な説明】
【００３８】
【図１】本発明の実施形態に従った、パイロット信号伝送方法の概要フローチャート図である。
【図２】本発明の実施形態に適用され得るシナリオの例の概要図である。
【図３】本発明の実施形態に適用され得るシナリオの別の例の概要図である。
【図４】本発明の実施形態に適用され得るシナリオの別の例の概要図である。
【図５】本発明の別の実施形態に従った、パイロット信号伝送方法の概要フローチャート図である。
【図６】本発明の実施形態に従った、基地局の基本ブロック図である。
【図７】本発明の実施形態に従った、ＵＥの基本ブロック図である。
【図８】本発明の別の実施形態に従った、基地局の基本ブロック図である。
【図９】本発明の他の実施形態に従った、ＵＥの基本ブロック図である。
【発明を実施するための形態】
【００３９】
本発明の実施形態の添付図面を参照しながら、本発明の実施形態における技術的解決策を以下に明確かつ完全に記載する。説明する実施形態は明らかに、本発明の実施形態の全てではなく、一部である。本発明の実施形態に基づいて当業者によって創造的努力なしに得られる他の全ての実施形態は、本発明の保護範囲内に入るものである。
【００４０】
本発明の技術的解決策は、例えば、グローバル移動通信システム（Global System of Mobile communication、ＧＳＭ（登録商標））、符号分割多重接続（Code Division Multiple Access、ＣＤＭＡ）システム、広帯域符号分割マルチアクセス（Wideband Code Division Multiple Access Wireless、ＷＣＤＭＡ（登録商標））、汎用パケット無線サービス（General Packet Radio Service、ＧＰＲＳ）、およびロング・ターム・エボリューション（Long Term Evolution、ＬＴＥ）といった様々な通信システムに適用されてもよい。
【００４１】
ユーザ装置（User Equipment, UE）は、モバイル端末（Mobile Terminal、ＭＴ）、モバイルユーザ装置、または同様のものとして参照されてもよく、および無線アクセスネットワーク（例えば、無線アクセスネットワーク、ＲＡＮ）を介して一つまたは複数のコアネットワークと通信してもよい。ユーザ装置は、モバイルフォン（「携帯」電話としても参照される）のようなモバイル端末、またはモバイル端末を備えたコンピュータであってもよい。例えば、ユーザ装置は、持ち運び可能、ポケットサイズ、手で持てるサイズ、コンピュータ内蔵型、または車載用モバイル装置であってもよい。
【００４２】
基地局は、ＧＳＭ（登録商標）またはＣＤＭＡの基地局（Base Transceiver Station、BTS）であってよく、ＷＣＤＭＡ（登録商標）の基地局（ＮｏｄｅＢ）であってもよく、さらにＬＴＥの発展型基地局（evolved NodeB, ｅＮＢまたはｅ−ＮｏｄｅＢ）であってもよいが、本発明において限定はしない。
【００４３】
図１は、本発明の実施形態に従った、パイロット信号伝送方法の概要フローチャート図である。図１における方法は、基地局によって実行される。
【００４４】
１１０：m個のビームを決定し、およびm個のビームに対応するp個のポートを決定し、ここでｍおよびｐの両方は１より大きい正の整数である。
【００４５】
例えば、基地局は、重みづけ手法でｍ個のビームを形成してもよい。ｍ個のビームは、それぞれ異なる方向を有してもよい。例えば、アクティブ・アンテナ・システム（Active Antenna System, ＡＡＳ）において、基地局は、アンテナ重みづけ手法で異なる方向でｍ個のビームを形成してもよい。
【００４６】
各ビームは、一つまたは複数のポートに対応してもよい。例えば、アンテナがシングル偏波アンテナである場合、各ビームは一つのポートに対応してもよく、これによって、ｍ個のビームはｍ個のポートに対応し得る。アンテナが、交差偏波アンテナである場合、各ビームは、２つのポートに対応してもよく、これによって、ｍ個のビームはｍ×２個のポートに対応し得る。
【００４７】
１２０：ポートのq個のグループを介してＵＥにn個のパイロット信号を送信し、q個のグループは、各グループがn個のポートを含むことに基づいてp個のポートをグループ化することによって取得され、およびｎおよびｑの両方は、１より大きい正の整数であり、各グループのｉ番目のポートは、ｎ個のパイロット信号のｉ番目のパイロット信号を送信するように構成され、ここで１≦ｉ≦ｎであり、かつｉは正の整数である。
【００４８】
例えば、基地局は、ｍ個のビームの方向に従ってｐ個のポートをグループ化してもよく、これによってグループは、空間において千鳥状にされる。例えば、基地局は、各ｎ個の隣接ポートを一つのグループにグループ化してもよい。ここで、基地局によってｐ個のポートをグループ化することは、実質的にｍ個のビームをグループ化することであると理解されたい。例えば、１６個のビームがあり、各ビームが２個のポートに対応すると仮定すると、１６個のビームは、３２個のポートに対応する。基地局は、各８個の隣接ポートを一つのグループにグループ化してもよく、それによってポートの４つのグループが得られる。つまり、各ビームは２つのポートに対応してもよく、従って、基地局は、各４つの隣接ビームを一つのグループにグループ化するということが理解されよう。
【００４９】
ポートの各グループにおいて、第一ポートは、第一パイロット信号を送信するように構成され、第二ポートは、第二パイロット信号を送信するように構成され、および、残りの部分は、類推によって推定され得る。
【００５０】
上記から分かるように、既存のパイロット信号設計手法が使用された場合、つまり、ｐ個のポートのために各ポートが一つのパイロット信号にマッピングされた場合、基地局は、ＵＥにｐ個のパイロット信号を送信する必要がある。しかしながら、本発明の本実施形態において、基地局は、ｐ個のポートをグループ化した後、ポートのｑ個のグループを取得することができ、ポートの各グループは、ｎ個のポートを含む。ここで、ｎおよびｑの両方は、１より大きい正の整数である。つまり、ｎはｐよりも小さい。次いで、基地局は、ポートのｑ個のグループを介してＵＥにｎ個のパイロット信号を送信してもよく、ポートの各グループのｉ番目のポートは、ｎ個のパイロット信号のｉ番目のパイロット信号を送信するように構成される。これによって、パイロット信号の量が減り、従って、パイロット信号によって占められた時間−周波数リソースが低減され、その結果、パイロット信号のオーバヘッドを低減する。
【００５１】
本発明の本実施形態において、ｍ個のビームに対応するｐ個のポートは、ｑ個のグループにグループ化され、およびｎ個のパイロット信号は、ポートのｑ個のグループを介してＵＥに送信され、各グループのｉ番目のポートは、ｎ個のパイロット信号のｉ番目のパイロット信号を送信するように構成される。これによって、送信されたパイロット信号の量が減り、その結果、パイロット信号のオーバヘッドを低減する。
【００５２】
任意で、実施形態として、パイロット信号は、チャネル状態情報−基準信号（Channel State Information-Reference Signal、ＣＳＩ−ＲＳ）を含んでもよい。
【００５３】
パイロット信号は、チャネル測定のためだけに使用される、他のパイロット信号をさらに含んでもよい。ＣＳＩ−ＲＳといった、そのようなパイロット信号は、チャネル測定のためだけに使用されるので、基地局は全方向にパイロット信号を送信する必要がない。さらに、ｍ個のビーム間に、スペース間隔が存在するので、基地局は、空間分割多重伝送手法でＵＥにパイロット信号を送信してもよい。
【００５４】
任意で、実施形態としてステップ１２０の前に、基地局は、ｍ個のビームの方向に従って、ｐ個のポートをｑ個のグループにグループ化してもよい。
【００５５】
例えば、基地局は、ｐ個のポートをｑ個のグループにグループ化してもよく、これによってグループ間のスペース間隔は十分に大きい。グループ間のスペース間隔は、実際の要求に従って決定されてもよく、例えば、伝送パフォーマンスおよびパイロット信号のオーバヘッドに従って、決定されてもよい。
【００５６】
任意で、別の実施形態としてステップ１１０において、基地局は、アンテナ重みづけ手法でｍ個のビームを形成してもよい。
【００５７】
任意で、別の実施形態として、基地局は、ｍ個のビームを形成するために、ｍ個の加重値を使用することによって共偏波アンテナのグループをそれぞれ重みづけしてもよい。スペーシング（spacing）は、例えば、波長の０．５倍で、共偏波アンテナ間に存在する。
【００５８】
任意で、別の実施形態として、基地局は、k個のビームを形成するために、ｋ個の加重値を使用することによって、共偏波アンテナのグループをそれぞれ重みづけしてもよく、ここでｋは１より大きい正の整数である。基地局は、ｍ/２個のビームを形成するために、第一加重値を使用することによって、ｋ個のビームの任意の２つの隣接ビームを重みづけしてもよい。基地局は、ｍ/２個のビームを形成するために、第二加重値を使用することによって、ｋ個のビームの任意の２つの隣接ビームを重みづけしてもよい。
【００５９】
例えば、基地局は、アンテナ重みづけ手法で、５個のビームを形成すると仮定する。基地局は、４個のビームを形成するために、加重値Ｗ１を使用することによって、５個のビームのそれぞれ２つの隣接ビームを重みづけしてもよい。基地局は、他の４個のビームを形成するために、加重値Ｗ２を使用することによって、５個のビームのそれぞれ２つの隣接ビームを重みづけしてもよい。
【００６０】
任意で、別の実施形態として、基地局は、ｍ/２個のビームを形成するために、ｍ/２個の加重値を使用することによって、共偏波アンテナの第一グループをそれぞれ重みづけしてもよい。基地局は、ｍ/２個のビームを形成するために、ｍ/２個の加重値を使用することによって、共偏波アンテナの第二グループをそれぞれ重みづけしてもよい。スペーシングは、共偏波アンテナの第一グループと、共偏波アンテナの第二グループとの間に存在する。
【００６１】
例えば、ｍが８であると仮定し、および１６個の交差偏波アンテナがあり、かつ各偏波方向に８個のアンテナがあると仮定する。例えば、波長の半分のスペーシングは、共偏波アンテナ間に存在してもよい。基地局は、水平偏波方向の８個のアンテナを２つのグループにグループ化してもよい。すなわち、最初の４つのアンテナを一つのグループ（つまり、共偏波アンテナの第一グループ）にグループ化し、および残りの４つのアンテナを一つのグループ（つまり、共偏波アンテナの第二グループ）にグループ化する。従って、共偏波アンテナの第一グループと、共偏波アンテナの第二グループとの間のスペーシングは、波長の２倍である。この方法において、基地局は、４つのビームを形成するために、４つの加重値、Ｗ１、Ｗ２、Ｗ３、およびＷ４を使用することによって、共偏波アンテナの第一グループをそれぞれ重みづけしてもよい。基地局は、別の４つのビームを形成するために、４つの加重値、Ｗ１、Ｗ２、Ｗ３、およびＷ４を使用することによって、共偏波アンテナの第二グループをそれぞれ重みづけしてもよい。この方法において、基地局は８個のビームを決定してもよい。共偏波アンテナの第一グループと、共偏波アンテナの第二グループとの間のスペーシングが、波長の２倍であるため、共偏波アンテナの第一グループを重みづけすることによって形成された４つのビームと、共偏波アンテナの第二グループを重みづけすることによって形成された４つのビームとの間のスペーシングもまた、波長の２倍である。
【００６２】
本実施形態において、スペーシングが、共偏波アンテナの第一グループと、共偏波アンテナの第二グループとの間に存在するため、アンテナ間のスペーシングは、共偏波アンテナの第一グループを重み付けすることによって形成されたｍ/２個のビームを、共偏波アンテナの第二グループを重み付けすることによって形成されたｍ/２個のビームから区別するために使用されることができる。これによって、本発明の本実施形態は、より大規模なアンテナのシナリオに適用できる。
【００６３】
任意で、別の実施形態としてステップ１２０の前に、基地局は、ポートのｑ個のグループに対応するｘ個のパイロット信号構造を決定してもよい。ここでｑ個のグループの各グループは、ｘ個のサブグループにグループ化され、各サブグループはｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用される。ここで、ｘおよびｙの両方は、１より大きいかまたは等しい、正の整数であり、１≦ｊ≦ｘであり、かつｊは正の整数である。基地局は、ＵＥにシグナル伝達を送信してもよく、ここでシグナル伝達は、ｘ個のパイロット信号構造を示すために使用されてもよい。
【００６４】
特に、ｑ個のグループの各グループは、ｘ個のサブグループにさらにグループ化されてもよい。つまり、各グループのｎ個のポートは、ｘ個のサブグループにグループ化されてもよい。各サブグループは、ｙ個のポートを含む。各グループがｘ個のサブグループにグループ化されるため、基地局は、ｘ個のパイロット信号構造がポートのｑ個のグループに対応することを決定することができる。ここで、ｘの値はプロトコルのパイロット信号構造の総数よりも小さくてもよい。
【００６５】
各グループのｊ番目のサブグループは、ｘ個のパイロット信号構造のｊ番目のパイロット信号構造に対応してもよい。つまり、ポートの各グループにおいて、第一サブグループは、第一パイロット信号構造に対応し、第二サブグループは、第二パイロット信号構造に対応し、および残りの部分は、類推によって推定できる。従って、ポートの各グループにおいて、異なるサブグループのポートは、異なるパイロット信号構造にそれぞれ対応する。これによって、異なるサブグループのポート上で送信されたパイロット信号は、異なる時間−周波数リソースを占め、これはUEがパイロット信号を測定することを便利にする。
【００６６】
例えば、ステップ１１０において、基地局が１６個のビームを決定し、および各ビームが２個のポートに対応すると仮定する。基地局は、３２個のポートを４つのグループにグループ化してもよく、および各グループは、８個のポートを含む。さらに、基地局は、各グループの８個のポートを４つのサブグループにグループ化してもよい。各サブグループは２個のポートを含む。各グループの８個のポートが４つのサブグループにグループ化されるため、基地局は、ポートの４つのサブグループが４つのパイロット信号構造に対応することを決定し得る。ポートの各グループにおいて、第一サブグループは、第一パイロット信号構造に対応し、第二サブグループは、第二パイロット信号構造に対応し、第三サブグループは、第三パイロット信号構造に対応し、および第四サブグループは、第四パイロット信号構造に対応する。
【００６７】
さらに、別の実施形態として、ステップ１２０の後で、基地局がUEから測定情報を受信してもよく、測定情報は、ｘ個のパイロット信号構造によってそれぞれ示された時間−周波数リソース上の測定を介してUEによって取得されたｘ個の測定結果を含む。基地局は、測定情報およびポートのｑ個のグループの受信したアップリンクパワーに従って、UEのデータ伝送ビームを決定してもよい。基地局は、UEのデータ伝送ビームを使用することによって、データをUEに送信してもよい。
【００６８】
UEは、各パイロット信号構造によって示された時間−周波数リソース上のパイロット信号を測定してもよく、それによってｘ個の測定結果を取得する。基地局は、これらの測定結果に基づいてUEのデータ伝送ビームを決定してもよい。
【００６９】
任意で、別の実施形態として、基地局は、ｘ個の測定結果から最適な測定結果を選択してもよく、および最適な測定結果に対応する候補サブグループを決定してもよい。基地局は、ｑ個のグループから、最大の受信したアップリンクパワーを有するグループを選択してもよい。基地局は、最適な測定結果、候補サブグループ、および最大の受信したアップリンクパワーを有するグループに従って、UEのデータ伝送ビームを決定してもよい。
【００７０】
任意で、別の実施形態として、基地局は、ｘ個の測定結果から最適な測定結果を選択してもよく、および最適な測定結果に対応した候補サブグループを決定してもよく、候補サブグループは、少なくとも一つのサブグループを含む。基地局は、ポートのｑ個のグループの受信したアップリンクパワーに従って、候補サブグループから、最大の受信したアップリンクパワーを有するサブグループを選択してもよい。基地局は、最適な測定結果および選択したサブグループに従って、UEのデータ伝送ビームを決定してもよい。
【００７１】
任意で、別の実施形態として、ｘ個の測定結果の各測定結果は、チャネル品質指標（Channel Quality Indication、ＣＱＩ）を含む。
【００７２】
任意で、別の実施形態として、各測定結果は、ＣＱＩを含み、かつ以下のうちの少なくとも一つ、すなわち、ランク（rank）およびプリコーディング行列指示子（Precoding Matrix Indicator、ＰＭＩ）のうちの少なくとも一つを含んでもよい。例えば、ＵＥは、伝送モードに従って、ランクまたはＰＭＩを測定結果に追加するかどうかを決定してもよい。
【００７３】
特に、基地局は、ｘ個の測定結果から最適な測定結果を選択してもよい。例えば、基地局は、最適なCQIを決定するために測定結果のCQIを比較してもよく、その結果、最適な測定結果を決定する。基地局は、最適な測定結果に従ったｘ個のパイロット信号構造において、最適な測定結果に対応する候補パイロット信号構造を決定してもよく、その結果、最適な測定結果に対応する候補サブグループを決定する。各パイロット信号構造は、複数のサブグループに対応し得るため、候補サブグループは、ここで複数のサブグループを含み得る。
【００７４】
上述から、複数のポートが同一のパイロット信号を送信してもよいことがわかる。例えば、ポートの各グループの第一ポートは、第一パイロット信号を送信するように構成される。従って、パイロット信号構造によって示される時間−周波数リソースにおいて、UEによって測定されるパイロット信号は、実質的に複数のポートによって送信されたパイロット信号が重畳された後に取得される信号である。従って、最適な測定結果および対応する候補サブグループを選択した後、基地局はまだデータ伝送ビームを決定することができない。基地局は、ｑ個のグループにおいてポートの各グループの受信したアップリンクパワーに従って、ｑ個のグループからグループを選択してもよい。例えば、基地局のｐ個のポートが、アップリンクサウンディング（sounding）参照信号を受信するので、基地局は、ｑ個のグループにおいてポートの各グループの受信したアップリンクパワーを比較してもよく、それによって、ｑ個のグループから最大の受信したアップリンクパワーを有するグループを選択してもよい。次いで、基地局は、最適な測定結果、候補サブグループ、および最大の受信したアップリンクパワーを有するグループに対応するビームに従って、データ伝送ビームを決定してもよい。例えば、基地局は、候補サブグループから、最大の受信したアップリンクパワーを有するグループに所属するサブグループを決定してもよい。次いで、基地局は、最適な測定結果のPMIを使用することによって、決定したサブグループに対応するビームを重み付けをしてもよく、それによって、データ伝送ビームを決定する。基地局は、候補サブグループから、最大の受信したアップリンクパワーを有するサブグループをさらに選択してもよい。次いで、基地局は、最適な測定結果のPMIを使用することによって、選択したサブグループに対応するビームを重み付けをしてもよく、それによって、データ伝送ビームを決定する。
【００７５】
決定したサブグループのポートが、複数のビームに対応する場合、サブグループに対応する複数のビームは、最適な測定結果のPMIを使用することによって重み付けされる。PMIは変化するため、様々なデータ伝送ビームが形成されることができる。
【００７６】
UEのデータ伝送ビームを決定した後で、基地局は、データ伝送ビームを使用することによって、データをUEに送信してもよい。UEは、データ伝送ビームを使用することによって、データを受信してもよく、およびユーザ固有参照信号（UE-specific Reference Signal、UE-specific RS）を使用することによって、データを復調してもよい。
【００７７】
以下に、具体例を参照して本発明の本実施形態を詳細に説明する。これらの例は、本発明の本実施形態の範囲を限定するよりもむしろ、単に当業者が本発明の本実施形態をよりよく理解することを助けることを意図したものであることが理解されよう。
【００７８】
図２は、本発明の本実施形態に適用され得るシナリオの例の概略図である。
【００７９】
図２において、３２個の交差偏波アンテナがあり、および各偏波の方向に１６個のアンテナがあると仮定する。基地局は、アンテナ重みづけ手法で１６個のビームを形成してもよい。図２で示したように、１６個のビームは、ビーム０からビーム１５として表され得る。各ビームは、２つのポートに対応する。従って、１６個のビームは、３２個のポートに対応する。
【００８０】
基地局は、３２個のポートを４つのグループにグループ化してもよく、各８個の隣接ポートは、一つのグループにグループ化される。つまり、基地局は、１６個のビームを４つのグループにグループ化してもよく、４つの隣接ビームは、一つのグループである。つまり、図２で示したように、４つのグループは、グループ０、グループ１、グループ２、およびグループ３として、それぞれ表され得る。
【００８１】
以下の説明を容易にするために、ポートの各グループは、同一の番号によって表されてもよい。特に、図２で示すように、グループ０において、ビーム０からビーム３に対応するポートは、０乃至７の番号が付けられ得る。グループ１において、ビーム４からビーム７に対応するポートも、０乃至７の番号が付けられ得る。グループ２において、ビーム８からビーム１１に対応するポートも、０乃至７の番号が付けられ得る。グループ３において、ビーム１２からビーム１５に対応するポートも、０乃至７の番号がつけられ得る。
【００８２】
ポートの各グループにおいて、ポートは、異なるパイロット信号を送信するように構成されてもよい。ポートのグループにおいて、同一の番号を有するポートは、同一のパイロット信号を送信するように構成されてもよい。特に、グループ０のポート０、グループ１のポート０、グループ２のポート０、およびグループ３のポート０は、第一パイロット信号を送信するように完全に構成される。グループ０のポート１、グループ１のポート１、グループ２のポート１、およびグループ３のポート１は、第二パイロット信号を送信するように完全に構成される。残りの部分は、類推によって推定できる。基地局は、ポートの４つのグループを介して、８個のパイロット信号をUEに送信し得ることがわかる。
【００８３】
任意で、ポートの各グループは、さらにグループ化されてもよい。つまり、各グループは、４つのサブグループにさらにグループ化されてもよく、および各サブグループは、２つのポートを含んでもよい。従って、ポートの４つのグループは、１６個のサブグループにさらにグループ化されてもよい。以下の説明を容易にするために、グループ０乃至グループ３において、サブグループがそれぞれ番号付されてもよい。つまり、異なるグループのサブグループは、同一の番号によって表されてもよい。図２で示したように、グループ０の４つのサブグループは、０乃至３の番号が付けられてもよく、つまりサブグループ０乃至サブグループ３である。グループ１の４つのサブグループも、サブグループ０乃至サブグループ３として番号付をされてもよい。グループ２の４つのサブグループも、サブグループ０乃至サブグループ３として番号付をされてもよい。グループ３の４つのサブグループも、サブグループ０乃至サブグループ３として番号付けをされてもよい。各グループで０を番号付けられたサブグループは、グループで０および１の番号を付けられたポートを含んでもよく、各グループで１を番号付けられたサブグループは、グループで２および３の番号を付けられたポートを含んでもよく、各グループで２を番号付けられたサブグループは、グループで４および５の番号を付けられたポートを含んでもよく、および、各グループで３を番号付けられたサブグループは、グループで６および７の番号を付けられたポートを含んでもよい。例えば、グループ０において、サブグループ０は、グループ０のポート０およびポート１を含んでもよく、サブグループ１は、グループ０のポート２およびポート３を含んでもよく、サブグループ２は、グループ０のポート４およびポート５を含んでもよく、およびサブグループ３は、グループ０のポート６および７を含んでもよい。他のグループは、グループ０と同様であり、詳細は再度提供しない。
【００８４】
各グループは、４つのサブグループにグループ化され、これによって、１６個のサブグループは、４つのパイロット信号構造に対応することができる。パイロット信号構造は、パイロット信号によって占められた時間−周波数リソースを示してもよい。特に、グループ０のサブグループ０、グループ１のサブグループ０、グループ２のサブグループ０、およびグループ３のサブグループ０は、第一パイロット信号構造に完全に対応してもよい。グループ０のサブグループ１、グループ１のサブグループ１、グループ２のサブグループ１、およびグループ３のサブグループ１は、第二パイロット信号構造に完全に対応してもよい。および、残りの部分は、類推によって推定できる。
【００８５】
ＵＥは、４つのパイロット信号構造によってそれぞれ示される時間−周波数リソース上で、基地局によって送信された８個のパイロット信号を測定してもよい。図２で示すように、各パイロット信号構造によって示される時間−周波数リソース上で、ＵＥは、同一の番号を有するサブグループのポート上で、基地局によって送信されたパイロット信号を測定してもよい。特に、ＵＥは、第一パイロット信号構造によって示される時間−周波数リソース上で、０の番号を付けられたサブグループのポート上で送信されたパイロット信号を測定してもよい。つまり、ＵＥは、第一パイロット信号構造によって示される時間−周波数リソース上で、2つのパイロット信号（つまり２つのパイロット信号は、ポート０およびポート１上で基地局によってそれぞれ送信される）を測定してもよい。
【００８６】
同様に、ＵＥは、第二パイロット信号構造によって示される時間−周波数リソース上で、１を番号付けられたサブグループのポート上で送信されたパイロット信号を測定してもよい。ＵＥは、第三パイロット信号構造によって示される時間−周波数リソース上で、２を番号付けられたサブグループのポート上で送信されたパイロット信号を測定してもよい。ＵＥは、第四パイロット信号構造によって示される時間−周波数リソース上で、３を番号付けられたサブグループのポート上で送信されたパイロット信号を測定してもよい。
【００８７】
図２において、ＵＥは、各パイロット信号構造によって示される時間−周波数リソース上で、２つのパイロット信号を測定してもよく、および各パイロット信号は、実質的に、グループで同一の番号を有するポート上で送信されたパイロット信号が重畳された後に取得される信号である。例えば、第一パイロット信号構造によって示される時間−周波数リソース上で、ＵＥは、サブグループ０の２つのポート上で送信された２つのパイロット信号を測定し、１つのパイロット信号は、実質的にポートの４つのグループの０を番号付けられたポート上で送信されたパイロット信号が重畳された後に取得される信号である。また、他のパイロット信号は、実質的にポートの４つのグループで１を番号付けられたポート上で送信されたパイロット信号が重畳された後に取得される信号である。
【００８８】
UEは、４つのパイロット信号構造によって示される時間−周波数リソース上でそれぞれ測定を実行した後、４つの測定結果を取得してもよい。各測定結果は、CQIを含んでもよい。各測定結果は、ランクおよびPMIのうち、少なくとも１つをさらに含んでもよい。
【００８９】
次いで、UEは基地局に測定情報を送信してもよく、ここで測定情報は、４つの測定結果を含んでもよい。
【００９０】
基地局は、測定情報に従って、データ伝送ビームを決定してもよく、およびデータ伝送ビームを使用することによって、ＵＥにデータを送信してもよい。特に、基地局は、４個の測定結果から最適な測定結果を選択してもよく、最適な測定結果に対応する４つのサブグループを決定してもよい。次いで、基地局は、グループ０乃至グループ３のそれぞれの受信したアップリンクパワーに従って、グループ０乃至グループ３から、最大の受信したアップリンクパワーを有するグループを選択してもよい。例えば、基地局によって選択された最適な測定結果は、第一パイロット信号構造によって示される、時間−周波数リソース上で測定を介して取得される。第一パイロット信号構造は、グループ０乃至グループ３の０を番号付けられた４つのサブグループに対応してもよい。３２個のポートは、すべてアップリンクサウンディング基準信号を完全に受信してもよいため、基地局は、グループ０乃至グループ３のそれぞれの受信したアップリンクパワーを比較してもよく、それによって、最大の受信したアップリンクパワーを有するグループを決定する。例えば、グループ１のポートの受信したアップリンクパワーが最大であってもよく、それによって基地局は、０を番号付けられた４つのサブグループおよびグループ１に従って、ビーム４がデータ伝送ビームであることを決定してもよい。次いで、基地局は、ＰＭＩを使用することによって、ビーム４を重み付けしてもよく、それによってデータ伝送ビームが決定する。
【００９１】
本発明の本実施形態において、ｍ個のビームに対応するｐ個のポートは、ｑ個のグループにグループ化され、およびｎ個のパイロット信号は、ポートのｑ個のグループを介してUEに送信され、各グループのｉ番目のポートは、ｎ個のパイロット信号のｉ番目のパイロット信号を送信するように構成される。これによって、送信されるパイロット信号の量が減少し、その結果、パイロット信号のオーバヘッドを低減する。
【００９２】
図３は、本発明の本実施形態に適用され得るシナリオの、別の例の概略図である。
【００９３】
図３において、１６個の交差偏波アンテナがあり、および各偏波方向に8個のアンテナがあると仮定する。基地局は、アンテナ重み付け手法で５個のビームを形成してもよい。図３で示すように、５個のビームは、ビーム００乃至ビーム０４として表されてもよい。
【００９４】
基地局は、４個のビームを取得するために、加重値Ｗ１を使用することによって、５個のビームの各２つの隣接ビームを重み付けしてもよい。特に、基地局は、ビーム１０を取得するために加重値Ｗ１を使用することによって、ビーム００およびビーム０１を重み付けしてもよく、およびビーム１２を取得するために、加重値Ｗ１を使用することによってビーム０２を重み付けしてもよく、および残りの部分は、類推によって推定できる。本方法において、それぞれビーム１０、１２、１４、および１６である４つのビームが取得され得る。
【００９５】
基地局は、別の４個のビームを取得するために、加重値Ｗ２を使用することによって、５個のビームの各２つの隣接ビームを重み付けしてもよい。特に、基地局は、ビーム１１を取得するために、加重値Ｗ２を使用することによって、ビーム００およびビーム０１を重み付けしてもよく、ビーム１３を取得するために、加重値Ｗ２を使用することによってビーム０１およびビーム０２を重み付けしてもよく、および残りの部分は、類推によって推定できる。この方法において、それぞれビーム１１、１３、１５、および１７である別の４個のビームが、取得されてもよい。
【００９６】
ビーム１０からビーム１７において、各ビームは２つのポートに対応する。従って、８個のビームは１６個のポートに対応し得る。
【００９７】
基地局は、１６個のポートを２つのグループにグループ化してもよく、および各８個の隣接ポートは、１つのグループにグループ化されてもよい。つまり、基地局は、８個のビームを２つのグループにグループ化し、および各グループは、４つのビームを備える。図３で示すように、２つのグループは、グループ０およびグループ１としてそれぞれ表されてもよい。
【００９８】
図２の実施形態と類似しており、説明を容易にするために、ポートの各グループは、同一の番号によって表されてもよい。特に、図３で示したように、グループ０において、ビーム１０乃至ビーム１３に対応するポートは、０乃至７を番号付けられてもよい。グループ１において、ビーム１４乃至ビーム１７に対応するポートもまた０乃至７を番号付けられてもよい。
【００９９】
ポートの各グループにおいて、ポートは、異なるパイロット信号を送信するように構成されてもよい。グループにおいて、同一の番号を有するポートは、同一のパイロット信号を送信するように構成されてもよい。特に、グループ０のポート０およびグループ１のポート０の両方は、第一パイロット信号を送信するように構成され、グループ０のポート１およびグループ１のポート１の両方は第二パイロット信号を送信するように構成される。残りの部分は、類推によって推定できる。基地局は、ポートの２つのグループを介して、８個のパイロット信号をＵＥに送信してもよいことがわかる。
【０１００】
さらに図２の実施形態と類似して、ポートの各グループは、さらにグループ化されてもよい。つまり、各グループは、２つのサブグループにさらにグループ化されてもよく、および各サブグループは、４つのポートを含んでもよい。従って、ポートの２つのグループは、４つのサブグループにさらにグループ化されてもよい。以下の説明を容易にするために、グループ０およびグループ１において、サブグループは、同一の番号によって表されてもよい。図３で示したように、グループ０の２つのサブグループは、０および１を番号付けられてもよく、つまり、サブグループ０およびサブグループ１である。グループ１の２つのサブグループもまた、サブグループ０およびサブグループ１として番号付けられてもよい。各グループで０を番号付けられたサブグループは、グループで０乃至３を番号付けられたポートを含んでもよく、および各グループで１を番号付けられたサブグループは、グループで４乃至７を番号付けられたポートを含んでもよい。例えば、グループ０において、サブグループ０は、グループ０のポート０、ポート１、ポート２、およびポート３を含んでもよく、およびサブグループ１は、グループ０のポート４、ポート５、ポート６、およびポート７を含んでもよい。グループ１は、グループ０と類似しており、詳細は再度提供しない。
【０１０１】
各グループは、２つのサブグループにグループ化され、これによって、４つのサブグループは、２つのパイロット信号構造に対応してもよい。パイロット信号構造は、パイロット信号によって占められた時間−周波数リソースを示してもよい。特に、グループ０のサブグループ０およびグループ１のサブグループ０の両方は、第一パイロット信号構造に対応してもよく、グループ０のサブグループ１およびグループ１のサブグループ１の両方は、第二パイロット信号構造に対応してもよい。
【０１０２】
以下は、図２の実施形態と同様のプロセスの説明を適切に省略する。ＵＥは、２つのパイロット信号構造によってそれぞれ示される時間−周波数リソース上で、基地局によって送信された８個のパイロット信号を測定してもよく、これによって、２つの測定結果を取得する。次いで、ＵＥは、測定情報を基地局に送信してもよく、測定情報は、２つの測定結果を含んでもよい。
【０１０３】
基地局は、２つの測定結果から最適な測定結果を選択してもよく、および最適な測定結果に対応する２つのサブグループを決定してもよい。次いで、基地局は、グループ０およびグループ１のそれぞれの受信したアップリンクパワーに従って、２つのグループから最大の受信したアップリンクパワーを有するグループを選択してもよい。基地局は、最適な測定結果に対応する２つのサブグループから最大の受信したアップリンクパワーを有するグループに所属するサブグループを決定してもよい。例えば、最適な測定結果が、第二パイロット信号構造によって示される時間−周波数リソース上で測定を介して取得されると仮定する。第二パイロット信号構造は、１を番号付けられた２つのサブグループに対応する。グループ１のポートの受信したアップリンクパワーが最大であり、これによって基地局は、候補データ伝送ビームを決定してもよく、つまり、グループ１のサブグループ１に対応する２つのビーム、すなわちビーム１６およびビーム１７である。基地局は、最適な測定結果のＰＭＩを使用することによって、ビーム１６およびビーム１７を重み付けしてもよく、これによってデータ伝送ビームを決定する。本実施形態において、ＰＭＩは変わるため、ＰＭＩに基づいて基地局によって重み付けの方法で形成されたデータ伝送ビームもまた、変わる。従って、様々なデータ伝送ビームが形成されることができる。
【０１０４】
本発明の本実施形態において、ｍ個のビームに対応するｐ個のポートは、ｑ個のグループにグループ化され、およびｎ個のパイロット信号は、ポートのｑ個のグループを介してＵＥに送信される。ここで、各グループのｉ番目のポートは、ｎ個のパイロット信号のｉ番目のパイロット信号を送信するように構成され、これによって、送信されるパイロット信号の量が減少し、その結果、パイロット信号のオーバヘッドを低減する。
【０１０５】
図４は、本発明の本実施形態が適用され得るシナリオの、別の例の概略図である。
【０１０６】
図４において、１６個の交差偏波アンテナがあり、および各偏波方向に８個のアンテナがあると仮定する。図４で示すように、１６個のアンテナは、それぞれ０乃至１５を番号付けられてもよい。スペーシングは、２つの隣接共偏波アンテナ間に存在する。例えば、スペーシングは、波長の半分であってもよい。つまり、０．５λであり、λは波長を表し得る。
【０１０７】
基地局は、共偏波アンテナを２つのグループにグループ化してもよい。すなわち、共偏波アンテナの第一グループは、アンテナ０、２、４、および６を含んでもよく、および共偏波アンテナの第二グループは、アンテナ８、１０、１２、および１４を含んでもよい。基地局は、４つの加重値を使用することによって、共偏波アンテナの第一グループをそれぞれ重み付けしてもよい。つまり、それぞれビームＡ、Ｂ、Ｃ、およびＤという４つのビームを形成するために、加重値Ｗ１、Ｗ２、Ｗ３、およびＷ４を使用することによって、アンテナ０、２、４、および６をそれぞれ重み付けする。基地局は、４つの加重値を使用することによって、共偏波アンテナの第二グループをそれぞれ重み付けしてもよい。つまり、それぞれビームＥ、Ｆ、Ｇ、およびＨという別の４つのビームを形成するために、加重値Ｗ１、Ｗ２、Ｗ３、およびＷ４を使用することによって、アンテナ８、１０、１２、および１４をそれぞれ重み付けする。共偏波アンテナの第一グループと、共偏波アンテナの第二グループとの間のスペーシングが、２λであるため、ビームＡ乃至ＤとビームＥ乃至Ｈとの間のスペーシングは、２λであることがわかる。
【０１０８】
ビームＡからビームＨにおいて、各ビームは、２つのポートに対応する。従って、８個のビームは１６個のポートに対応し得る。
【０１０９】
基地局は、１６個のポートを２つのグループにグループ化してもよく、２つのグループは、グループ０およびグループ１としてそれぞれ表されてもよい。グループ０は、ビームＡ、ビームＢ、ビームＥ、およびビームＦにそれぞれ対応する８個のポートを含み、グループ１は、ビームＣ、ビームＤ、ビームＧ、およびビームＨにそれぞれ対応する８個のポートを含む。
【０１１０】
図２および図３の実施形態と類似しており、説明を容易にするために、ポートの各グループは、同一の番号によって表されてもよい。特に、図４で示したように、グループ０において、ビームＡに対応するポートは、０および１を番号付けられ、ビームＥに対応するポートは、２および３を番号付けられてもよく、ビームＢに対応するポートは、４および５を番号付けられてもよく、およびビームＦに対応するポートは、６および７を番号付けられてもよい。グループ１において、ビームＣに対応するポートは、０および１を番号付けられてもよく、ビームＧに対応するポートは、２および３を番号付けられてもよく、ビームＤに対応するポートは、４および５を番号付けられてもよく、およびビームＨに対応するポートは、６および７を番号付けられてもよい。
【０１１１】
以下は、図２および図３の実施形態と同様のプロセスの説明を適切に省略する。ポートの各グループにおいて、ポートは、異なるパイロット信号を送信するように構成されてもよい。グループにおいて、同一の番号を有するポートは、同一のパイロット信号を送信するように構成されてもよい。従って、基地局は、ポートの２つのグループを介して、８個のパイロット信号をＵＥに送信してもよい。
【０１１２】
さらに図２および図３の実施形態と類似して、ポートの各グループは、さらにグループ化されてもよい。つまり、各グループは、２つのサブグループにさらにグループ化されてもよく、および各サブグループは、４つのポートを含んでもよい。従って、ポートの２つのグループは、４つのサブグループにさらにグループ化されてもよい。以下の説明を容易にするために、グループ０およびグループ１において、サブグループは、同一の番号によって表されてもよい。図４で示したように、グループ０の２つのサブグループは、０および１を番号付けられてもよく、つまり、サブグループ０およびサブグループ１である。グループ１の２つのサブグループもまた、サブグループ０およびサブグループ１として番号付けられてもよい。各グループで０を番号付けられたサブグループは、グループで０乃至３を番号付けられたポートを含んでもよく、および各グループで１を番号付けられたサブグループは、グループで４乃至７を番号付けられたポートを含んでもよい。例えば、グループ０において、サブグループ０は、グループ０のポート０、ポート１、ポート２、およびポート３を含んでもよく、およびサブグループ１は、グループ０のポート４、ポート５、ポート６、およびポート７を含んでもよい。グループ１は、グループ０と類似しており、詳細は再度提供しない。
【０１１３】
各グループは、２つのサブグループにグループ化され、これによって、４つのサブグループは、２つのパイロット信号構造に対応してもよい。パイロット信号構造は、パイロット信号によって占められた時間−周波数リソースを示してもよい。特に、グループ０のサブグループ０およびグループ１のサブグループ０の両方は、第一パイロット信号構造に対応してもよく、グループ０のサブグループ１およびグループ１のサブグループ１の両方は、第二パイロット信号構造に対応してもよい。
【０１１４】
ＵＥは、２つのパイロット信号構造によってそれぞれ示される時間−周波数リソース上で、基地局によって送信された８個のパイロット信号を測定してもよく、それによって、２つの測定結果を取得する。次いで、ＵＥは、測定情報を基地局に送信してもよく、測定情報は、２つの測定結果を含んでもよい。
【０１１５】
基地局は、２つの測定結果から最適な測定結果を選択してもよく、および、最適な測定結果に対応した２つのサブグループを決定してもよい。次いで、基地局は、グループ０およびグループ１の受信したアップリンクパワーにそれぞれ従って、２つのグループから最大の受信したアップリンクパワーを有するグループを選択してもよい。基地局は、最適な測定結果に対応する２つのサブグループから最大の受信したアップリンクパワーを有するグループに所属するサブグループを決定してもよい。例えば、最適な測定結果が、第二パイロット信号構造によって示される時間−周波数リソース上の測定を介して取得されたと仮定する。第二パイロット信号構造は、１を番号付けされた２つのサブグループに対応する。グループ１のポートの受信したアップリンクパワーが最大であり、これによって基地局は候補データ伝送ビームを決定してもよい。つまり、グループ１のサブグループ１に対応する２つのビーム、ビームＤおよびビームＨである。基地局は、最適な測定結果のＰＭＩを使用することによって、ビームＤおよびビームＨを重み付けしてもよく、それによって、データ伝送ビームを決定する。本実施形態において、ＰＭＩは変わるため、ＰＭＩに基づいて基地局によって重み付けの方法で形成されたデータ伝送ビームもまた、変わる。従って、様々なデータ伝送ビームが形成されることができる。
【０１１６】
本発明の本実施形態において、ｍ個のビームに対応するｐ個のポートは、ｑ個のグループにグループ化され、およびｎ個のパイロット信号は、ポートのｑ個のグループを介してUEに送信され、各グループのｉ番目のポートは、ｎ個のパイロット信号のｉ番目のパイロット信号を送信するように構成される。これによって、送信されるパイロット信号の量が減少し、その結果、パイロット信号のオーバヘッドを低減する。
【０１１７】
図５は、本発明の別の実施形態に従った、パイロット信号伝送方法の概要フローチャート図である。図５の方法は、UEによって実行される。
【０１１８】
５１０：ポートのｑ個のグループを介して、基地局によって送信されたｎ個のパイロット信号を受信し、ｑ個のグループは、各グループがｎ個のポートを含むことに基づいて、ｍ個のビームに対応するｐ個のポートをグループ化することによって、基地局によって取得される。ｍおよびｐの両方は、１より大きい正の整数であり、およびｎおよびｑの両方は、１より大きい正の整数である。各グループのｉ番目のポートは、ｎ個のパイロット信号でｉ番目のパイロット信号を送信するように構成され、１≦ｉ≦ｎであり、かつｉは正の整数である。
【０１１９】
５２０：ｎ個のパイロット信号を測定する。
【０１２０】
本発明の本実施形態において、ポートのｑ個のグループを介して基地局によって送信されたｎ個のパイロット信号は、受信され、各グループのｉ番目のポートは、ｎ個のパイロット信号のｉ番目のパイロット信号を送信するように構成される。これによって、パイロット信号の量が減少し、その結果、パイロット信号のオーバヘッドを低減する。
【０１２１】
任意で、実施形態として、ステップ５１０の前に、ＵＥは、基地局によって送信されたシグナル伝達を受信してもよい。シグナル伝達は、ポートのｑ個のグループに対応するｘ個のパイロット信号構造を示すために使用され、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用される。ここで、ｘおよびｙの両方は、１より大きいかまたは等しい正の整数であり、１≦ｊ≦ｘであり、かつｊは正の整数である。
【０１２２】
任意で、別の実施形態として、ステップ５２０において、ＵＥは、ｘ個の測定結果を取得するために、ｘ個のパイロット信号構造によってそれぞれ示される時間−周波数リソース上でｎ個のパイロット信号を測定してもよい。ステップ５２０の後に、ＵＥは、測定情報を基地局に送信してもよく、測定情報は、ｘ個の測定結果を含む。
【０１２３】
任意で、別の実施形態として、ＵＥは、データ伝送ビームを使用することによって、基地局によって送信されたデータを受信してもよく、データ伝送ビームは、測定情報およびポートのｑ個のグループの受信したアップリンクパワーに従って、基地局によって決定される。
【０１２４】
任意で、別の実施形態として、ｘ個の測定結果の各測定結果は、ＣＱＩを含んでもよい。あるいは、各測定結果は、ＣＱＩと、ランクおよびＰＭＩのうち少なくとも一つと、を含んでもよい。
【０１２５】
任意で、他の実施形態として、パイロット信号はＣＳＩ−ＲＳであってもよい。
【０１２６】
図６は、本発明の実施形態に従った基地局の基本ブロック図である。図６の基地局６００は、決定ユニット６１０および送信ユニット６２０を含む。
【０１２７】
決定ユニット６１０は、ｍ個のビームを決定し、およびｍ個のビームに対応するｐ個のポートを決定し、ｍおよびｐの両方は、１より大きい正の整数である。送信ユニットは６２０は、ポートのｑ個のグループを介して、ｎ個のパイロット信号をＵＥに送信し、ｑ個のグループは、各グループがｎ個のポートを含むことに基づいてｐ個のポートをグループ化することによって取得され、およびｎおよびｑの両方は、１より大きい正の整数である。各グループのｉ番目のポートは、ｎ個のパイロット信号のｉ番目のパイロット信号を送信するように構成され、１≦ｉ≦ｎであり、かつｉは正の整数である。
【０１２８】
本発明の本実施形態において、ｍ個のビームに対応するｐ個のポートは、ｑ個のグループにグループ化され、およびｎ個のパイロット信号は、ポートのｑ個のグループを介してＵＥに送信され、各グループのｉ番目のポートは、ｎ個のパイロット信号のｉ番目のパイロット信号を送信するように構成される。これによって、送信されるパイロット信号の量が減少し、その結果、パイロット信号のオーバヘッドを低減する。
【０１２９】
任意で、実施形態として、基地局６００は、グループ化ユニット６３０をさらに含んでもよい。グループ化ユニット６３０は、ｍ個のビームの方向に従って、ｐ個のポートをｑ個のグループにグループ化してもよい。
【０１３０】
任意で、別の実施形態として、決定ユニット６１０は、アンテナ重み付け手法でｍ個のビームを形成してもよい。
【０１３１】
任意で、別の実施形態として、決定ユニット６１０は、ｍ個のビームを形成するために、ｍ個の加重値を使用することによって、共偏波アンテナのグループをそれぞれ重み付けしてもよい。
【０１３２】
任意で、別の実施形態として、決定ユニット６１０は、ｋ個のビームを形成するために、ｋ個の加重値を使用することによって、共偏波アンテナのグループをそれぞれ重み付けしてもよく、ここでｋは１より大きい正の整数である。すなわち、ｍ/２個のビームを形成するために、第一加重値を使用することによって、ｋ個のビームの任意の２つの隣接ビームを重み付けしてもよく、およびｍ/２個のビームを形成するために、第二加重値を使用することによって、ｋ個のビームの任意の２つの隣接ビームを重み付けしてもよい。
【０１３３】
任意で、別の実施形態として、決定ユニット６１０は、ｍ/２個のビームを形成するために、ｍ/２個の加重値を使用することによって、共偏波アンテナの第一グループをそれぞれ重み付けしてもよく、ｍ/２個のビームを形成するために、ｍ/２個の加重値を使用することによって、共偏波アンテナの第二グループをそれぞれ重み付けしてもよい。ここで、共偏波アンテナの第一グループと、共偏波の第二グループとの間にスペーシングが存在する。
【０１３４】
任意で、別の実施形態として、決定ユニット６１０は、送信ユニット６２０がポートのｑ個のグループを介してＵＥにｎ個のパイロット信号を送信する前に、ポートのｑ個のグループに対応するｘ個のパイロット信号構造をさらに決定してもよく、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数である。送信ユニット６２０は、ＵＥにシグナル伝達をさらに送信してもよく、シグナル伝達は、ｘ個のパイロット信号構造を示すために使用される。
【０１３５】
任意で、別の実施形態として、基地局６００は、受信ユニット６４０をさらに含んでもよい。受信ユニット６４０は、ＵＥから測定情報を受信してもよく、測定情報は、ｘ個のパイロット信号構造によって示された時間−周波数リソース上のそれぞれの測定を介して、ＵＥによって取得されたｘ個の測定結果を含む。決定ユニット６１０は、受信ユニット６４０によって受信された測定情報およびポートのｑ個のグループの受信したアップリンクパワーに従って、データ伝送ビームをさらに決定してもよい。送信ユニット６２０は、データ伝送ビームを使用することによって、ＵＥにデータをさらに送信してもよい。
【０１３６】
任意で、別の実施形態として、決定ユニット６１０は、ｘ個の測定結果から最適な測定結果を選択し、および最適な測定結果に対応する候補サブグループを決定してもよく、候補サブグループは、少なくとも一つのサブグループを含む。決定ユニット６１０は、ポートのｑ個のグループの受信したアップリンクパワーに従って、候補サブグループから、最大の受信したアップリンクパワーを有するサブグループを選択してもよく、および最適な測定結果および選択したサブグループに従って、ＵＥのデータ伝送ビームを決定してもよい。
【０１３７】
任意で、別の実施形態として、ｘ個の測定結果の各測定結果は、ＣＱＩを含んでもよい。あるいは、各測定結果は、ＣＱＩと、ランクおよびＰＭＩのうち少なくとも一つと、を含んでもよい。
【０１３８】
任意で、他の実施形態として、パイロット信号はＣＳＩ−ＲＳであってもよい。
【０１３９】
基地局６００の他の機能および操作について、参照は、図１乃至図４の前述の実装方法における基地局を伴うプロセスに対してなされ得、繰り返しを防ぐために詳細は再度提供しない。
【０１４０】
図７は、本発明の実施形態に従った、ＵＥの基本ブロック図である。図７におけるＵＥ７００は、受信ユニット７１０および測定ユニット７２０を含む。
【０１４１】
受信ユニット７１０は、ポートのｑ個のグループを介して、基地局によって送信されたｎ個のパイロット信号を受信し、ｑ個のグループは、各グループがｎ個のポートを含むことに基づいて、ｍ個のビームに対応するｐ個のポートをグループ化することによって、基地局によって取得され、ｍおよびｐの両方は、１より大きい正の整数であり、およびｎおよびｑの両方は、１より大きい正の整数である。各グループのｉ番目のポートは、ｎ個のパイロット信号のｉ番目のパイロット信号を送信するように構成され、ここで１≦ｉ≦ｎ、およびｉは正の整数である。測定ユニット７２０は、受信ユニット７１０によって受信したｎ個のパイロット信号を測定する。
【０１４２】
本発明の本実施形態において、ポートのｑ個のグループを介して基地局によって送信されたｎ個のパイロット信号は、受信され、各グループのｉ番目のポートは、ｎ個のパイロット信号のｉ番目のパイロット信号を送信するように構成される。これによって、パイロット信号の量が減少し、その結果、パイロット信号のオーバヘッドを低減する。
【０１４３】
任意で、実施形態として、受信ユニット７１０は、ポートのｑ個のグループを介して、基地局によって送信されたｎ個のパイロット信号を受信する前に、基地局によって送信されたシグナル伝達をさらに受信してもよく、シグナル伝達は、ポートのｑ個のグループに対応するｘ個のパイロット信号構造を示すために使用され、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用される。ｘおよびｙの両方は、１より大きいかまたは等しい正の整数であり、１≦ｊ≦ｘであり、かつｊは正の整数である。
【０１４４】
任意で、別の実施形態として、ＵＥ７００は、送信ユニット７３０をさらに含んでもよい。
【０１４５】
測定ユニット７２０は、ｘ個の測定結果を取得するために、ｘ個のパイロット信号構造によってそれぞれ示される時間−周波数リソース上のｎ個のパイロット信号を測定してもよい。
【０１４６】
送信ユニット７３０は、測定情報を基地局に送信してもよく、ここで測定情報は、ｘ個の測定結果を含む。
【０１４７】
任意で、別の実施形態として、受信ユニット７１０は、データ伝送ビームを使用することによって、基地局によって送信されたデータをさらに受信してもよく、データ伝送ビームは、測定情報およびポートのｑ個のグループの受信したアップリンクパワーに従って、基地局によって決定される。
【０１４８】
任意で、別の実施形態として、ｘ個の測定結果の各測定結果は、ＣＱＩを含んでもよい。あるいは、各測定結果は、ＣＱＩと、ランクおよびＰＭＩのうち少なくとも一つと、を含んでもよい。
【０１４９】
任意で、他の実施形態として、パイロット信号はＣＳＩ−ＲＳであってもよい。
【０１５０】
ＵＥ７００の別の機能および操作について、参照は、図１乃至図５の上述した実装方法においてＵＥを含むプロセスに対してなされ得、繰り返しを避けるため詳細は再度提供しない。
【０１５１】
図８は、本発明の別の実施形態に従った、基地局の基本ブロック図である。図８における基地局８００は、プロセッサ８１０およびトランスミッタ８２０を含む。
【０１５２】
プロセッサ８１０は、ｍ個のビームを決定し、およびｍ個のビームに対応するｐ個のポートを決定し、ｍおよびｐの両方は、１より大きい正の整数である。トランスミッタ８２０は、ポートのｑ個のグループを介してｎ個のパイロット信号をＵＥに送信し、ｑ個のグループは、各グループがｎ個のポートを含むことに基づいて、ｐ個のポートをグループ化することによって取得され、およびｎおよびｑの両方は、１より大きい正の整数である。各グループのｉ番目のポートは、ｎ個のパイロット信号のｉ番目のパイロット信号を送信するように構成され、１≦ｉ≦ｎであり、かつｉは正の整数である。
【０１５３】
本発明の本実施形態において、ｍ個のビームに対応するｐ個のポートは、ｑ個のグループにグループ化され、およびｎ個のパイロット信号は、ポートのｑ個のグループを介してＵＥに送信され、各グループのｉ番目のポートは、ｎ個のパイロット信号のｉ番目のパイロット信号を送信するように構成される。これによって、送信されるパイロット信号の量が減少し、その結果、パイロット信号のオーバヘッドを低減する。
【０１５４】
任意で、実施形態として、プロセッサ８１０は、ｍ個のビームの方向に従って、ｐ個のポートをｑ個のグループにさらにグループ化してもよい。
【０１５５】
任意で、別の実施形態として、プロセッサ８１０は、アンテナ重み付け手法でｍ個のビームを形成してもよい。
【０１５６】
任意で、別の実施形態として、プロセッサ８１０は、ｍ個のビームを形成するために、ｍ個の加重値を使用することによって、共偏波アンテナのグループをそれぞれ重み付けしてもよい。
【０１５７】
任意で、別の実施形態として、プロセッサ８１０は、ｋ個のビームを形成するために、ｋ個の加重値を使用することによって、共偏波アンテナのグループをそれぞれ重み付けしてもよく、ｋは１より大きい正の整数である。また、プロセッサ８１０は、ｍ/２個のビームを形成するために、第一加重値を使用することによって、ｋ個のビームの任意の２つの隣接ビームを重み付けし、およびｍ/２個のビームを形成するために、第二加重値を使用することによって、ｋ個のビームの任意の２つの隣接ビームを重み付けしてもよい。
【０１５８】
任意で、別の実施形態として、プロセッサ８１０は、ｍ/２個のビームを形成するために、ｍ/２個の加重値を使用することによって、共偏波アンテナの第一グループをそれぞれ重み付けしてもよく、およびｍ/２個のビームを形成するために、ｍ/２個の加重値を使用することによって、共偏波アンテナの第二グループをそれぞれ重み付けしてもよく、スペーシングは、共偏波アンテナの第一グループと、共偏波アンテナの第二グループとの間に存在する。
【０１５９】
任意で、別の実施形態として、プロセッサ８１０は、トランスミッタ８２０がポートのｑ個のグループを介してＵＥにｎ個のパイロット信号を送信する前に、ポートのｑ個のグループに対応するｘ個のパイロット信号構造をさらに決定してもよく、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用され、ここで、ｘおよびｙの両方は、１より大きいかまたは等しい正の整数であり、１≦ｊ≦ｘであり、かつｊは正の整数である。トランスミッタ８２０は、ＵＥにシグナル伝達をさらに送信してもよく、シグナル伝達は、ｘ個のパイロット信号構造を示すために使用される。
【０１６０】
任意で、別の実施形態として、基地局８００は、受信器８３０をさらに含んでもよい。受信器８３０は、ＵＥから測定情報を受信してもよく、測定情報は、ｘ個のパイロット信号構造によってそれぞれ示された時間−周波数リソース上の測定を介して、ＵＥによって取得されたｘ個の測定結果を含む。プロセッサ８１０は、受信器８３０によって受信された測定情報およびポートのｑ個のグループの受信したアップリンクパワーに従って、ＵＥのデータ伝送ビームをさらに決定してもよい。トランスミッタ８２０は、ＵＥのデータ伝送ビームを使用することによって、ＵＥにデータをさらに送信してもよい。
【０１６１】
任意で、別の実施形態として、プロセッサ８１０は、ｘ個の測定結果から最適な測定結果を選択してもよく、および最適な測定結果に対応する候補サブグループを決定してもよい。候補サブグループは、少なくとも一つのサブグループを含み、ポートのｑ個のグループの受信したアップリンクパワーに従って、候補サブグループから最大の受信されたアップリンクパワーを有するサブグループを選択してもよく、および最適な測定結果および選択したサブグループに従って、ＵＥのデータ伝送ビームを決定してもよい。
【０１６２】
任意で、別の実施形態として、ｘ個の測定結果の各測定結果は、ＣＱＩを含んでもよい。あるいは、各測定結果は、ＣＱＩと、ランクおよびＰＭＩのうち少なくとも一つと、を含んでもよい。
【０１６３】
任意で、別の実施形態として、パイロット信号はＣＳＩ−ＲＳであってもよい。
【０１６４】
基地局８００の別の機能および操作について、参照は、図１乃至図４の上述した実装方法において基地局を含むプロセスに対してなされ得、繰り返しを避けるため詳細は再度提供しない。
【０１６５】
図９は、本発明の別の実施形態に従った、ＵＥの基本ブロック図である。図９におけるＵＥ９００は、受信器９１０およびプロセッサ９２０を含む。
【０１６６】
受信器９１０は、ポートのｑ個のグループを介して基地局によって送信されたｎ個のパイロット信号を受信し、ｑ個のグループは、各グループがｎ個のポートを含むことに基づいて、グループ化されることによって基地局によって受信され、ｐ個のポートは、ｍ個のビームに対応し、ｍおよびｐの両方は、1より大きい正の整数であり、およびｎおよびｑの両方は、１より大きい正の整数である。各グループのｉ番目のポートは、ｎ個のパイロット信号のｉ番目のパイロット信号を送信するように構成され、ここで１≦ｉ≦ｎであり、かつｉは正の整数である。プロセッサ９２０は、受信器９１０によって受信されたｎ個のパイロット信号を測定する。
【０１６７】
本発明の本実施形態において、ポートのｑ個のグループを介して基地局によって送信されたｎ個のパイロット信号は、受信され、各グループのｉ番目のポートは、ｎ個のパイロット信号のｉ番目のパイロット信号を送信するように構成される。これによって、パイロット信号の量が減少し、その結果、パイロット信号のオーバヘッドを低減する。
【０１６８】
任意で、実施形態として、受信器９１０は、ポートのｑ個のグループを介して基地局によって送信されたｎ個のパイロット信号を受信する前に、基地局によって送信されたシグナル伝達をさらに受信してもよい。シグナル伝達は、ポートのｑ個のグループに対応するｘ個のパイロット信号構造を示すために使用され、ｑ個のグループの各グループは、ｘ個のサブグループにグループ化され、各サブグループは、ｙ個のポートを含み、各グループのｊ番目のサブグループは、ｘ個のパイロット信号構造のｊ番目のパイロット信号構造に対応し、およびパイロット信号構造は、パイロット信号によって占められた時間−周波数リソースを示すために使用される。ここで、ｘおよびｙの両方は、１より大きいかまたは等しい正の整数であり、１≦ｊ≦ｘであり、かつｊは正の整数である。
【０１６９】
任意で、別の実施形態として、ＵＥ９００は、トランスミッタ９３０をさらに含んでもよい。
【０１７０】
プロセッサ９２０は、ｘ個の測定結果を取得するために、ｘ個のパイロット信号構造によってそれぞれ示される時間−周波数リソース上のｎ個のパイロット信号を測定してもよい。
【０１７１】
トランスミッタ９３０は、測定情報を基地局に送信してもよく、ここで測定情報は、ｘ個の測定結果を含む。
【０１７２】
任意で、別の実施形態として、受信器９１０は、データ伝送ビームを使用することによって、基地局によって送信されたデータをさらに受信してもよく、データ伝送ビームは、測定情報およびポートのｑ個のグループの受信したアップリンクパワーに従って、基地局によって決定されてもよい。
【０１７３】
任意で、別の実施形態として、ｘ個の測定結果の各測定結果は、ＣＱＩを含んでもよい。あるいは、各測定結果は、ＣＱＩと、ランクおよびＰＭＩのうち少なくとも一つと、を含んでもよい。
【０１７４】
任意で、他の実施形態として、パイロット信号はＣＳＩ−ＲＳであってもよい。
【０１７５】
ＵＥ９００の他の機能および操作について、参照は、図１乃至図５の上述した実装方法においてＵＥを含むプロセスに対して成されることができ、繰り返しを防ぐために詳細は再度提供しない。
【０１７６】
当業者は、本明細書に開示された実施形態で説明した例と組み合わせることで、ユニットおよびアルゴリズムステップは、電子ハードウェアまたはコンピュータソフトウェアと電子ハードウェアの組合せによって実施されてもよいことを理解してもよい。機能がハードウェアまたはソフトウェアによって実行されるか否かは、特定の用途および技術的解決策の設計制約条件に依存する。当業者は、各特定のアプリケーションに対して記述した機能を実装するために、異なる方法を使用してもよいが、実装が本発明の範囲を超えていることを考慮すべきではない。
【０１７７】
上記システム、装置、およびユニットの詳細な動作プロセスについての、有用で簡単な説明のために、上記方法実施形態における対応するプロセスへの言及が行われることがあり、詳細について本明細書で再び説明していないことが、当業者によってはっきり理解されよう。
【０１７８】
本アプリケーションで提供されるいくつかの実施形態において、開示するシステム、装置、および方法は、他の手法で実装され得ることを理解されたい。たとえば、説明した装置実施形態は単なる例示にすぎない。たとえば、ユニット分割は、単に論理的機能分割であり、実際の実装形態では他の分割であり得る。たとえば、複数のユニットまたは構成要素が別のシステムに組み合わせられるかまたは組み込まれ得、あるいはいくつかの特徴が無視されるかまたは実行されないことがある。さらに、表示または説明した相互結合または直接結合または通信接続は、いくつかのインターフェースを使用することによって実装され得る。装置またはユニット間の間接結合または通信接続は、電子的形態、機械的形態、または他の形態で実装され得る。
【０１７９】
別々の部分として説明したユニットは、物理的に別個であることも、ないこともあり、ユニットとして表示した部分は、物理的ユニットであることも、ないこともあり、1つの位置に配置されることも、複数のネットワークユニット上で分散されることもある。ユニットの一部または全部は、実施形態の解決策の目的を達成するために、実際の要求に従って選択され得る。
【０１８０】
さらに、本発明の実施形態における機能ユニットは1つの処理ユニットに組み込まれるか、またはユニットの各々が物理的に単独で存在するか、または2つ以上のユニットが1つのユニットに組み込まれ得る。一体化されたユニットは、ハードウェアの形態で実装されるか、またはソフトウェア機能ユニットの形態で実装され得る。
【０１８１】
機能が、ソフトウェア機能ユニットの形で実装され、独立した製品として販売または使用される場合、機能は、コンピュータ読み取り可能な記憶媒体に格納されてもよい。そのような理解に基づいて、本発明の技術的解決策、あるいは従来技術に寄与する部分、あるいは技術的解決策の全部または一部は、本質的に、ソフトウェア製品の形態で実装され得る。コンピュータソフトウェア製品は、記憶媒体に記憶され、本発明の実施形態において説明した方法のステップの全部または一部を実行するように(パーソナルコンピュータ、サーバ、またはネットワークデバイスであり得る)コンピュータデバイスに命令するためのいくつかの命令を含む。上記記憶媒体は、USBフラッシュドライブ、リムーバブル・ハード・ディスク、読取り専用メモリ(ROM、Read-Only Memory)、ランダムアクセスメモリ(RAM、Random Access Memory)、磁気ディスク、または光ディスクなど、プログラムコードを記憶することができる任意の媒体を含む。
【０１８２】
上述は、本発明の具体的な実装方法にすぎず、本発明の保護範囲を制限することを目的とするものではない。本発明で開示された技術的範囲内で当業者によって容易に得られる任意の変更または置換は、本発明の保護範囲内に入るものである。従って、本発明の保護範囲は、特許請求の範囲の保護範囲に従うものである。
【符号の説明】
【０１８３】
６１０  決定ユニット
６２０  送信ユニット
６３０  グループ化ユニット
６４０  受信ユニット
７１０  受信ユニット
７２０  測定ユニット
７３０  送信ユニット
８１０  プロセッサ
８２０  トランスミッタ
８３０  受信器
９１０  受信器
９２０  プロセッサ
９３０  トランスミッタ
【図１】
0006388348.tif 000002
【図２】
0006388348.tif 000003
【図３】
0006388348.tif 000004
【図４】
0006388348.tif 000005
【図５】
0006388348.tif 000006
【図６】
0006388348.tif 000007
【図７】
0006388348.tif 000008
【図８】
0006388348.tif 000009
【図９】
0006388348.tif 000010